(57)【要約】【課題】  本発明はカード支払いを行う際の操作を簡略化することを課題とする。【解決手段】  制御回路６６は、選択スイッチによりカード精算方法が選択された場合にカードの種別を判別し、判別された種別に応じて当該カードに記憶された情報を読み取り、カードＲ／Ｗ７８で読み取られた当該カード情報に基づいて当該カードの種別に応じた精算方法で精算処理を行う。カード挿入部５４は、カード搬送用ローラ９２，９３の奥部に磁気ヘッド９６とＩＣヘッド９８とを有する。制御回路６６は、磁気ヘッドリード・ライト回路１００またはＩＣヘッドリード・ライト回路１０２から入力された信号に基づいてタッチパネル４９またはスピーカ８３により挿入されたカード９４の種別を画像または音声、あるいは画像及び音声で報知する。【選択図】  図４
2005107570.tif 000002
【特許請求の範囲】
【請求項１】
現金支払いによる現金精算方法、あるいは精算方法の異なる精算情報が記憶されたカードのうち任意のカードに記憶された情報を読み取り、当該カード情報に基づいて行うカード精算方法の何れかの精算方法で精算処理を行う精算システムにおいて、
前記現金精算方法または前記カード精算方法のうち何れか一方を選択する選択スイッチと、
該選択スイッチによりカード精算方法が選択された場合に前記カードの種別を判別する判別手段と、
前記判別手段により判別された種別に応じて当該カードに記憶された情報を読み取るカード情報読み取り部と、
該カード情報読み取り部で読み取られた当該カード情報に基づいて当該カードの種別に応じた精算方法で精算処理を行う精算手段と、
を備えたことを特徴とする精算システム。
【請求項２】
前記カード情報読み取り部は、異なる記憶方式で記憶された前記カードの情報を、各種カードの記憶方式に応じた方法で読み取る複数の読み取り手段を有することを特徴とする請求項１記載の精算システム。
【請求項３】
前記カードは、情報が記憶された磁気記憶部を有する磁気カード、あるいは情報が記憶されたＩＣチップが埋め込まれたＩＣカードよりなることを特徴とする請求項１記載の精算システム。
【請求項４】
前記カードは、料金後払い方式のクレジットカード、料金先払い方式のプリペイドカード、支払った金額に応じたポイントを蓄積するポイントカードの何れかよりなることを特徴とする請求項１記載の精算システム。
【発明の詳細な説明】
【技術分野】
【０００１】
本発明は精算システムに係り、特に精算方法の異なる精算情報が記憶された複数のカードのうち任意のカードを用いて精算を行う精算システムに関する。
【背景技術】
【０００２】
例えば、ガソリンや軽油等の油液を車両の燃料タンクに供給した後の料金を精算する場合を例に挙げて以下説明する。
【０００３】
給液所等では、車両への給液が終了すると、現金またはクレジットカードによる精算方法で給液料金を精算している。また、セルフサービス方式の燃料供給装置が設置された給液所では、給液開始前に給液する液種を選択し、且つ支払い方法を選択して現金またはクランプあるいはプリペイドカードをカードリーダに挿入することによりカードに記憶された精算情報が読み取られて給液が可能になる（例えば、特許文献１参照）。
【０００４】
給液料金の精算方法としては、現金支払いの他に、例えば、料金後払い方式のクレジットカード、料金先払い方式のプリペイドカード、口座引き落とし方式のデビットカード、さらに現金支払いに対するポイントを蓄積して後日ポイント数に応じた料金を精算することができるポイント式会員カードなどがある。
【０００５】
これらの各種カードは、クレジットカード番号、プリペイド金額、金融機関名と口座番号、ポイント数等の精算情報が記憶されたカード情報記憶部を有している。また、各種カードによってカード情報の記憶方式が異なり、磁気記憶ストライプやＩＣチップを樹脂製カードに埋め込むように構成されている。
【０００６】
このように、カードの種別によってカード情報の記憶方式が異なるばかりか、カードの種別によって記憶された情報内容も全く異なっている。そのため、種別の異なる複数のカードを使用できるようにするため、給液所の精算所あるいはセルフサービス方式の計量機には、各種カードを読み取るための複数のカードリーダが設けられている。
【特許文献１】特開２００１−２７８３９８号公報
【発明の開示】
【発明が解決しようとする課題】
【０００７】
上記従来の精算システムでは、カードの種別ごとにカードリーダを設けることになり、さらに、上記各種のカードを使用可能とするには、各種のカードに対応した数のカード種別確認釦を配置する必要があり、操作釦数が増えて操作が煩雑になるという問題があった。
【０００８】
そこで、本発明は上記課題を解決した精算システムを提供することを目的とする。
【課題を解決するための手段】
【０００９】
請求項１の発明は、現金支払いによる現金精算方法、あるいは精算方法の異なる精算情報が記憶されたカードのうち任意のカードに記憶された情報を読み取り、当該カード情報に基づいて行うカード精算方法の何れかの精算方法で精算処理を行う精算システムにおいて、現金精算方法または前記カード精算方法のうち何れか一方を選択する選択スイッチと、選択スイッチによりカード精算方法が選択された場合にカードの種別を判別する判別手段と、判別手段により判別された種別に応じて当該カードに記憶された情報を読み取るカード情報読み取り部と、カード情報読み取り部で読み取られた当該カード情報に基づいて当該カードの種別に応じた精算方法で精算処理を行う精算手段と、を備えたことを特徴とするものである。
【００１０】
請求項２の発明は、カード情報読み取り部が、異なる記憶方式で記憶されたカードの情報を、各種カードの記憶方式に応じた方法で読み取る複数の読み取り手段を有することを特徴とする。
【００１１】
請求項３の発明は、カードが、情報が記憶された磁気記憶部を有する磁気カード、あるいは情報が記憶されたＩＣチップが埋め込まれたＩＣカードよりなることを特徴とする。
【００１２】
請求項４の発明は、カードが、料金後払い方式のクレジットカード、料金先払い方式のプリペイドカード、支払った金額に応じたポイントを蓄積するポイントカードの何れかよりなることを特徴とする。
【発明の効果】
【００１３】
請求項１の発明によれば、現金精算方法またはカード精算方法の何れかを選択する選択スイッチを設けるだけなので、操作釦を各カードの種別数に対応させて配置させる必要がなく、スイッチ数を減らして操作を簡略化することが可能になる。また、選択スイッチによりカード精算方法が選択された場合にカードの種別を判別して当該カードの種別に応じた精算方法で精算処理を行うことにより、カードを用いた精算方法の種別を選択する操作が不要になり、その分操作を簡略化することが可能になる。
【００１４】
請求項２の発明によれば、異なる記憶方式でカードに記憶されたカードの情報を、各種カードの記憶方式に応じた方法で読み取ることが可能になり、どのカードでも使用することが可能になり、現金がないときにカードが使用できないといった不都合を解消しうる。
【００１５】
請求項３の発明によれば、情報が記憶された磁気記憶部を有する磁気カード、あるいは情報が記憶されたＩＣチップが埋め込まれたＩＣカードを使用することができる。
【００１６】
請求項４の発明によれば、料金後払い方式のクレジットカード、料金先払い方式のプリペイドカード、口座引き落とし方式のデビットカードの何れのカードも使用することができる。
【発明を実施するための最良の形態】
【００１７】
以下、図面と共に本発明の一実施例について説明する。
【実施例】
【００１８】
図１は本発明になる燃料供給装置の一実施例が適用された給液システムの構成図である。
図１に示されるように、給液システム１０は、給液エリア１２に設置された釣り銭機１４と、複数の燃料供給装置１６（１６１〜１６ｎ）と、事務所１８内に設置されたＰＯＳ本体２０と、ＰＯＳ本体２０に接続された記憶装置２２とを有する。釣り銭機１４は、釣り銭を支払うための装置であり、係員の釣り銭補充作業を容易にするため、事務所の近傍に設けられている。
【００１９】
燃料供給装置１６は、セルフサービス給液方式の計量機２４と、計量機２４に搭載された設定器２６と、料金をその場で精算するための自動支払機２８とを有する。また、釣り銭機１４及び複数の燃料供給装置１６（１６１〜１６ｎ）は、通信回線（例えば、ＳＳ−ＬＡＮ）３０を介してＰＯＳ本体２０と接続されている。
【００２０】
また、給液エリア１２には、燃料供給装置１６（１６１〜１６ｎ）の周辺を監視するための監視カメラ３２１〜３２ｎが設けられている。監視カメラ３２１〜３２ｎは、カメラ分割ユニット３４に接続されており、監視カメラ３２１〜３２ｎにより撮像された画像はカメラ分割ユニット３４を介して監視モニタ３６に転送される。監視モニタ３６は、監視カメラ３２１〜３２ｎにより撮像された複数の画像を同時に分割表示する。
【００２１】
図２は燃料供給装置１６の正面図である。
図２に示されるように、燃料供給装置１６は、セルフサービス方式の計量機２４からなり、設定操作部３８と、設定操作部３８の両側に起立する支柱４０，４２と、上部に横架されたホース支持部４４とを有する。
【００２２】
計量機２４の内部には、後述する各給液系統の電磁弁と、給液ポンプと、流量計などの各機器が設けられている。
【００２３】
設定操作部３８には、静電気除去シート４６と、静電気除去シート４６の右側に配置された設定器２６と、自動支払機２８と、インタホン４８とが設けられている。設定器２６は、液晶モニタなどからなるタッチパネル４９を有し、タッチパネル４９に表示された設定入力画面に触れることで油種（軽油、レギュラーガソリン、ハイオクガソリン）を選択、給液量の入力操作などを行える。また、設定器２６の上方に配置されて人検知センサ５０が設けられており、人検知センサ５０がオンになると、顧客が設定器２６の前にいるものと判断して、タッチパネル４９に設定入力画面が表示される。
【００２４】
また、人検知センサ５０としては、例えば、光センサあるいはイメージセンサなどを用いたものであり、給液操作を行う操作者が設定器２６の前に立ったことを検知してその検知信号を出力する。
【００２５】
自動支払機２８は、紙幣挿入部５２と、カード挿入部５４と、レシート発行部５６とを有する。紙幣挿入部５２は、挿入された紙幣の種別（千円札、２千円札、５千円札、一万円札）を鑑別する鑑別機能を有しており、顧客が挿入した紙幣の金額を設定器２６に表示させる。
【００２６】
カード挿入部５４は、給液所が発行したプリペイドカード、あるいはクレジットカードを挿入されると、カードに記憶された情報を読み取り、給液が可能かどうかをタッチパネル４９に表示させる。
【００２７】
レシート発行部５６は、給液が終了すると、液種、給液量、給液金額、消費税、合計金額などの給液情報を記載したレシート（伝票）を発行する。すなわち、レシート発行部５６は、釣り銭額を除いた情報が記載されたレシートを発行する。
【００２８】
また、計量機２４の前面パネル５８には、給液ノズル６０を掛止するノズル掛け６２が３箇所に設けられている。給液ノズル６０は、ホース支持部４４から吊り下げられた給液ホース６４が連通接続されている。
【００２９】
図３は燃料供給装置１６の各機器の構成を示すブロック図である。
図３に示されるように、燃料供給装置１６の制御回路（制御手段）６６には、各給液経路に設けられた電磁弁６８、給液ポンプ７０、流量計７２、メモリ８０と、人検知センサ５０、ノズル掛け６２に設けられたノズルスイッチ７４、自動支払機２８に設けられた紙幣鑑別部７６、設定器２６、カード挿入部５４に設けられたカードＲ／Ｗ（カード情報読み取り部）７８、インタホン４８、レシート発行部５６に設けられたプリンタ８２、スピーカ８３、カード駆動モータ８４と接続されている。
【００３０】
カード駆動モータ８４は、後述するカード搬送用ローラ９２，９３を回転駆動する駆動手段であり、カード挿入時は、カード搬送用ローラ９２，９３をカード引き込み方向に回転駆動し、カード排出時はカード搬送用ローラ９２，９３を逆回転させてカード排出方向に回転駆動する。
【００３１】
メモリ８０には、選択スイッチによりカード精算方法が選択された場合にカードの種別を判別する制御プログラム（判別手段）と、判別された種別に応じて当該カードに記憶された情報を読み取る制御プログラム（カード情報読み取り部）と、カードＲ／Ｗ７８で読み取られた当該カード情報に基づいて当該カードの種別に応じた精算方法で精算処理を行う制御プログラム（精算手段）と、が格納されている。
【００３２】
図４はカード挿入部５４の概略構成を示す図である。
図４に示されるように、カード挿入部５４は、料金後払い方式のクレジットカード（図示せず）、及び料金先払い方式のプリペイドカード（図示せず）、及び支払った金額に応じたポイントを蓄積するポイントカード（図示せず）の何れのカード９４が挿入可能なカード挿入口９０を有する。各カードによって記憶方式が異なっており、例えば、磁気記録方式の磁気カードと、半導体メモリを有するＩＣチップがインサート成形されたＩＣカードとがある。そのため、カード挿入部５４のカードＲ／Ｗ７８は、記憶方式の異なる複数のカードに記憶されたカード情報が読み込めるように複数の読み取り手段を内蔵している。
【００３３】
さらに、カード挿入部５４は、カード挿入口９０の内側にカード搬送用ローラ９２，９３が設けられており、カード挿入時はカード搬送用ローラ９２，９３の回転駆動によりカード９４が引き込まれ、カード返却時はカード搬送用ローラ９２，９３の逆回転駆動によりカード９４をカード挿入口９０へ排出する。
【００３４】
本実施例においては、カードＲ／Ｗ７８は、カード搬送用ローラ９２，９３の奥部に読み取り手段としての磁気ヘッド９６とＩＣヘッド９８とを有する。磁気ヘッド９６は、挿入されたカード９４が磁気記憶部を有する場合に、磁気記憶部に記憶されたカード情報を読み取る。また、ＩＣヘッド９８は、非接触式であり、磁気ヘッド９６がカード情報を読み取れない場合にカード９４に埋め込まれたＩＣチップに記憶されたカード情報を読み取る。
【００３５】
磁気ヘッド９６により読み取られた磁気信号は、磁気ヘッドリード・ライト回路１００によって制御回路６６に入力される。また、ＩＣヘッド９８により読み取られたカード情報は、ＩＣヘッドリード・ライト回路１０２によって制御回路６６に入力される。
【００３６】
そして、制御回路６６は、後述するように、磁気ヘッドリード・ライト回路１００またはＩＣヘッドリード・ライト回路１０２から入力された信号に基づいてタッチパネル４９またはスピーカ８３により挿入されたカード９４の種別を画像または音声、あるいは画像及び音声で報知する。
【００３７】
図５は設定器２６のタッチパネル４９に表示される給液開始画面の一例を示す図である。
図５に示されるように、給液開始画面８４は、給液量の表示領域８４ａにゼロＬ（リットル）を表示し、税込金額の表示領域８４ｂにゼロ円を表示する。さらに、給液開始画面８４では、支払方法の表示領域８４ｃに現金、入金金額の表示領域８４ｄに入金された金額（例えば、５０００円）、液種の表示領域８４ｅに予め設定された液種（例えば、レギュラー）及び単価（例えば、９５円）、給液方法の表示領域８４ｆに予め設定された給液方法（プリセット給液または満タン給液）、釣り銭額の表示領域８４ｇに現在の給液金額に対応した釣り銭額が表示される。
【００３８】
制御回路６６は、給液が開始されて流量計７２から流量パルスが出力されると、流量パルスの積算値から求まる給液量に応じた給液金額の値を逐次更新すると共に、給液量の表示領域８４ａに給液量を表示する。
【００３９】
ここで、図５乃至図１１を参照して設定器２６のタッチパネル４９に表示される設定操作画面の表示例について説明する。
【００４０】
手順Ａ：顧客（運転者）が設定器２６の前に立つと、人検知センサ５０がオンになるため、図５に示されるように、タッチパネル４９の画面には、支払い方法入力画面１０４が表示される。
【００４１】
支払い方法入力画面１０４は、操作方法を指示するメッセージ表示領域１０４ａと、支払い方法を選択する設定操作表示領域１０４ｂとを有する。そして、メッセージ表示領域１０４ａには、例えば、「支払い方法を選んで下さい」といったような操作手順のガイダンスが表示される。また、設定操作表示領域１０４ｂには、「いらしゃいませ」といったメッセージが表示されると共に、現金支払い方法を選択するための現金選択釦１０４ｄと、カード支払い方法を選択するためのカード選択釦１０４ｅとが表示される。
【００４２】
顧客（運転者）は、タッチパネル４９に表示された現金選択釦１０４ｄまたはカード選択釦１０４ｅの表示領域に触れることで支払い方法を選択する。このように、支払い方法を選択されると、次の手順Ｂに移行する。
【００４３】
手順Ｂ：例えば、手順Ａでカード支払い方法が選択された場合は、図６に示されるように、タッチパネル４９の画面に、カード種別表示画面１０６が表示される。
【００４４】
紙幣入金画面１０６は、操作方法を指示するメッセージ表示領域１０６ａと、カード情報表示領域１０６ｂとを有する。そして、メッセージ表示領域１０６ａには、例えば、「右のカード投入口よりカードを入れてください」といったような操作手順のガイダンスが表示される。
【００４５】
また、カード挿入部５４にカードが挿入されると、挿入されたカード９４の情報がカードＲ／Ｗ７８の磁気ヘッド９６またはＩＣヘッド９８（図４参照）で読み取られる。そして、カードＲ／Ｗ７８で読み取られたカード情報からカードの種別が判定される。
【００４６】
カード種別の判定結果が出力されると、カード情報表示領域１０６ｂのカード種別表示欄１０６ｃには、カードの種別（例えば、「プリペイドカード、金額は３０００円」）が表示される。そして、ガイダンス領域１０６ｄには、「プリペイド金額がよろしければ「決定」を押して下さい」といったような操作手順が表示される。また、ガイダンス領域１０６ｄ下方には、取消釦１０６ｅと、決定釦１０６ｆとが表示される。
【００４７】
従って、顧客（運転者）は、プリペイドカードをカード挿入部５４に挿入した場合、カード種別表示欄１０６ｃに表示されたカード種別とプリペイドカ金額が一致していることを確認して決定釦１０６ｆを押圧操作する。また、カード種別表示欄１０６ｃに表示されたカード種別が間違っている場合、あるいはプリペイド金額が少なかった場合には、取消釦１０６ｅを押圧操作する。
【００４８】
このように、紙幣投入後に決定釦１０６ｆまたは取消釦１０６ｅが押圧操作されると、次の手順Ｃに移行する。
【００４９】
手順Ｃ：例えば、手順Ｂで決定釦１０６ｆが押圧操作される場合は、図７に示されるように、タッチパネル４９の画面に、液種選択画面１０８が表示される。
【００５０】
液種選択画面１０８は、操作方法を指示するメッセージ表示領域８８ａと、設定操作表示領域８８ｂとを有する。そして、メッセージ表示領域８８ａには、例えば、「液種を選んで下さい」といったような操作手順のガイダンスが表示される。
【００５１】
また、設定操作表示領域１０８ｂには、レギュラ選択釦１０８ｃ、ハイオク選択釦１０８ｄ、軽油選択釦１０８ｅ、取消釦１０８ｆと、前画面に戻る釦１０６ｇとが表示される。
【００５２】
従って、顧客（運転者）は、車両のエンジン仕様に対応する液種の液種選択釦（例えば、レギュラ選択釦１０８ｃ）を押圧操作する。また、液種選択操作を間違えた場合には、取消釦１０８ｆを押圧操作する。また、入金額を変更した場合には、入金画面に戻る釦１０６ｇを押圧操作する。
【００５３】
このように、レギュラ選択釦１０８ｃ、ハイオク選択釦１０８ｄ、軽油選択釦１０８ｅの何れかの液種選択釦が押圧操作されると、次の手順Ｄに移行する。
【００５４】
手順Ｄ：上記手順Ｃで液種選択操作が行われると、図８に示されるように、タッチパネル４９の画面に、設定確認画面１１０が表示される。
【００５５】
設定確認画面１１０は、操作方法を指示するメッセージ表示領域１１０ａと、設定操作表示領域１１０ｂとを有する。そして、メッセージ表示領域９０ａには、例えば、「設定内容を確認してください」といったような操作手順のガイダンスが表示される。
【００５６】
また、設定操作表示領域１１０ｂには、上記手順Ａ〜Ｃで設定された支払い方法、液種、入金額、単価、給液方法（プリセット給液モードまたは満タン給液モード）、プリセット給液の場合のプリセット金額、プリセット量が表示される設定データ一覧１１０ｃと、量指定釦１１０ｄと、金額指定釦１１０ｅと、確認釦１１０ｆと、取消釦１１０ｇと、液種画面に戻る釦１１０ｈとが表示される。
【００５７】
給液量を設定する場合には、量指定釦１１０ｄを押圧操作する。この場合、入金額の範囲内で任意の給液量をプリセットすることが可能になる。また、給液金額を設定する場合には、金額指定釦１１０ｅを押圧操作する。この場合、入金額を最大値として任意の給液金額をプリセットすることが可能になる。尚、プリペイドカードが挿入された場合には、自動的にプリペイド金額を上限とするプリセット給油が設定され、プリペイド金額が給液金額以上にある場合には、満タン給油が行われることになる。
【００５８】
確認釦１１０ｆは、プリセット給液モードで給液する場合には、「確認」と表示されており、満タン給液モードで給液する場合には、「満タン」と表示される。従って、確認釦１１０ｆは、顧客（運転者）が量指定釦１１０ｄまたは金額指定釦１１０ｅを押圧操作しない場合には、「満タン」と表示され、顧客（運転者）が量指定釦１１０ｄまたは金額指定釦９０ｅを押圧操作した場合には、「確認」と表示される。
【００５９】
そのため、満タン給液モードで給液する場合には、液種を選択した後、確認釦１１０ｆを押圧操作すれば良いことが容易に分かる。また、上記確認釦１１０ｆの代わりに他の検出手段を事前操作完了検出手段として用いることも可能であり、例えば、ノズルスイッチ７４がオフになったとき事前操作完了したものと判断することも可能であり、あるいは流量計７２から出力された流量パルスにより事前操作完了と判断することも可能である。
【００６０】
このように、プリセット給液モードまたは満タン給液モードの設定操作が終了すると、次の手順Ｅに移行する。
【００６１】
手順Ｅ：上記手順Ｄで設定操作が行われると、図９に示されるように、タッチパネル４９の画面に、設定完了スタート画面１１２が表示される。
【００６２】
設定完了スタート画面１１２は、操作方法を指示するメッセージ表示領域１１２ａと、設定完了表示領域１１２ｂとを有する。そして、メッセージ表示領域９２ａには、例えば、「ノズルを給液口に入れ、レバーを引いてください」といったような操作手順のガイダンスが表示される。
【００６３】
また、設定完了スタート画面１１２には、上記設定データ（支払方法（カード種別）、液種、入金額（プリペイド金額）、給液方法、プリセット給液モードの場合そのプリセット金額、プリセット量）を表示する設定データ表示部１１２ｃと、取消釦１１２ｄとが表示される。
【００６４】
従って、顧客（運転者）は、設定データ表示部１１２ｃに表示された設定データを確認した後、給液ノズル６０をノズル掛け６２から外して車両（図示せず）の給液口に挿入する。そして、給液ノズル６０のノズルレバーが開弁操作されることで、給液が開始される。
【００６５】
このように、車両への給液が開始されると、次の手順Ｆに移行する。
【００６６】
手順Ｆ：上記手順Ｅで給液開始操作が行われると、図１０に示されるように、タッチパネル４９の画面に、給液中画面１１４が表示される。
【００６７】
給液中画面１１４は、給液量を更新表示する給液量表示領域１１４ａと、給液量に応じた金額を更新表示する給液金額表示領域１１４ｂと、設定された液種の単価を表示する液種単価表示領域１１４ｃと、支払方法、液種、入金額、給液方法等の設定データを表示する設定データ表示領域１１４ｄとを有する。
【００６８】
そして、プリセット給液モードまたは満タン給液モードの給液が終了すると、次の手順Ｇに移行する。
【００６９】
手順Ｇ：上記手順Ｆで給液が終了すると、図１１に示されるように、タッチパネル４９の画面に、給液終了画面１１６が表示される。
【００７０】
給液中画面１１６は、操作方法を指示するメッセージ表示領域１１６ａと、給液結果を表示する給液結果表示領域１１６ｂとを有する。メッセージ表示領域１１６ａには、例えば、「給液終了」といったメッセージを表示して、顧客（運転者）に給液が終了したことを報知する。
【００７１】
また、給液結果表示領域１１６ｂには、例えば、「ありがとうございました」といったメッセージを表示すると共に、給液量、税込み給液金額、消費税額の各数値、及び支払方法、液種、入金額、給液方法等の設定データを表示する。
【００７２】
これで、顧客（運転者）は、タッチパネル４９に表示された給液終了画面１１６から今回の給液操作による給液量、税込み給液金額を確認する。
【００７３】
この給液終了画面１１６は、給液ノズル６０をノズル掛け６２に戻した後、所定時間表示される。その後、タッチパネル４９の画面には、図５に示す設定スタート画面１０４が表示される。
【００７４】
尚、本実施例では、上記手順Ａ〜Ｇの各画面を順番に表示する場合について説明したが、例えば、手順Ｅの設定完了画面１１２（図９参照）を省略し、手順Ｄから手順Ｆに移行するようにしても良い。
【００７５】
ここで、燃料供給装置１６の制御回路６６が実行する制御処理について図１２及び図１３を参照して説明する。
【００７６】
図１２に示されるように、制御回路６６は、ステップＳ１１（以下「ステップ」を省略する）において、人検知センサ５０がオンかどうかをチェックする。人検知センサ５０がオンになると、顧客が設定器２６の前にいるものと判断して、Ｓ１２に進み、設定器２６のタッチパネル４９に支払い方法入力画面１０４（図５参照）を表示する。
【００７７】
次のＳ１３では、現金選択釦１０４ｄが押圧操作されて現金支払いが選択かどうかを確認する。Ｓ１３において、現金支払いが選択された場合には、Ｓ１５に進む。
【００７８】
Ｓ１５では、紙幣入金画面（図示せず）をタッチパネル４９に表示して紙幣挿入を指示する。次のＳ１６では、紙幣が紙幣挿入部５２に挿入されたかどうかをチェックする。
【００７９】
Ｓ１６において、紙幣が紙幣挿入部５２に挿入された場合は、Ｓ１７に進み、紙幣挿入部５２に挿入された紙幣の種別（千円札、２千円札、５千円札、一万円札）を紙幣鑑別部７６で鑑別し、その鑑別結果である入金額を表示する。続いて、Ｓ１８では、紙幣入金画面の決定釦（図示せず）が押圧操作されたかどうかをチェックする。Ｓ１８において、紙幣入金画面の決定釦（図示せず）が押圧操作されないときは、上記Ｓ１６に戻り、Ｓ１６以降の処理を実行する。
【００８０】
また、Ｓ１８において、紙幣入金画面の決定釦（図示せず）が押圧操作されたときは、上記Ｓ１９に進み、紙幣挿入部５２に挿入された紙幣の金額を預かり額としてメモリ８０の入金額記憶エリアに記憶させると共に、タッチパネル４９に液種選択画面１０８（図７参照）を表示する。
【００８１】
次のＳ２０では、液種選択画面１０８に表示されたレギュラ選択釦１０８ｃ、ハイオク選択釦１０８ｄ、軽油選択釦１０８ｅの何れかが押圧操作されたかどうかを確認する。そして、Ｓ２０において、給液すべき液種が選択されると、Ｓ２１に進み、メモリ８０に選択液種を給液液種として登録する。
【００８２】
また、上記Ｓ１４において、カード選択釦１０４ｅが押圧操作された場合は、Ｓ２２に進み、Ｓ１４において、カード選択釦８４ｅが押圧操作されなかったときは、上記Ｓ１１に戻る。
【００８３】
Ｓ２２では、カード挿入部５４にカード９４（図４参照）が挿入されたかどうかを確認する。Ｓ２２でカード挿入部５４にカード９４が挿入された場合は、Ｓ２３に進み、カード挿入部５４にカード９４が挿入されない場合は、上記Ｓ１１に戻る。
【００８４】
Ｓ２３では、挿入されたカード９４に記憶されたカード情報をカードＲ／Ｗ７８の磁気ヘッド９６またはＩＣヘッド９８を介して読み取る。続いて、Ｓ２４に進み、読み取ったカード情報が磁気記録方式（磁気カード）かどうかを確認する。Ｓ２４において、カードＲ／Ｗ７８で読み取ったカード情報が磁気記録方式（磁気カード）である場合は、Ｓ２５に進み、磁気ヘッド９６によって読み取られたカード情報をメモリ８０に登録する。
【００８５】
また、Ｓ２４において、カードＲ／Ｗ７８で読み取ったカード情報が磁気記録方式（磁気カード）でない場合は、Ｓ２６に進み、読み取ったカード情報がＩＣチップ方式（ＩＣカード）かどうかを確認する。Ｓ２６において、カードＲ／Ｗ７８で読み取ったカード情報がＩＣチップ方式（ＩＣカード）である場合は、Ｓ２７に進み、ＩＣヘッド９８によって読み取られたカード情報をメモリ８０に登録する。また、Ｓ２６において、カードＲ／Ｗ７８で読み取ったカード情報がＩＣチップ方式（ＩＣカード）でない場合は、上記Ｓ２３に戻る。
【００８６】
上記Ｓ２５またはＳ２７でカード情報をメモリ８０に登録した後は、Ｓ２８に進み、挿入されたカード９４が現金ポイントカードかどうかを確認する。Ｓ２８において、挿入されたカード９４が現金ポイントカードである場合は、Ｓ２９に進み、カード種別が現金ポイントカードであることをタッチパネル４９に表示し、またはスピーカ８３から音声で報知する。続いて、上記Ｓ１９に進み、当該現金ポイントカードに蓄積されたポイント数に応じた金額を預かり額としてメモリ８０の入金額記憶エリアに記憶させると共に、タッチパネル４９に液種選択画面１０８（図７参照）を表示する。
【００８７】
Ｓ２８において、挿入されたカード９４が現金ポイントカードでない場合は、Ｓ３０に進み、挿入されたカード９４がプリペイドカードかどうかを確認する。そして、Ｓ３０において、挿入されたカード９４がプリペイドカードである場合は、Ｓ２９に進み、カード種別がプリペイドカードカードであることをタッチパネル４９に表示し、またはスピーカ８３から音声で報知する。
【００８８】
そして、Ｓ３２では、当該プリペイドカードに記憶された残高が給液可能な最低金額（例えば、１００円）以上あることを確認する。Ｓ３２において、当該プリペイドカードに記憶された残高が給液可能な最低金額以上ある場合には、Ｓ１９に進み、当該プリペイドカードに記憶された金額を預かり額としてメモリ８０の入金額記憶エリアに記憶させると共に、タッチパネル４９に液種選択画面１０８（図７参照）を表示する。また、当該プリペイドカードの残高が給液可能な最低金額未満ある場合には、Ｓ３６に進み、カード搬送用ローラ９２，９３を逆回転駆動して当該プリペイドカードをカード挿入口９０へ排出する。
【００８９】
上記Ｓ３０において、挿入されたカード９４がプリペイドカードでない場合は、Ｓ３３に進み、挿入されたカード９４がクレジットカードかどうかを確認する。そして、Ｓ３３において、挿入されたカード９４がクレジットカードである場合は、Ｓ３４に進み、カード種別がクレジットカードであることをタッチパネル４９に表示し、またはスピーカ８３から音声で報知する。尚、Ｓ２９，Ｓ３１，Ｓ３４では、カード種別を画像表示と音声との両方で報知しても良い。
【００９０】
続いて、Ｓ３５では、当該クレジットカードの認証をクレジット会社に確認する。Ｓ３５で当該クレジットカードの認証がＯＫであるときは、上記Ｓ１９に進み、当該クレジットカードによりクレジット可能な上限金額を預かり額としてメモリ８０のクレジット入金額記憶エリアに記憶させると共に、タッチパネル４９に液種選択画面１０８（図７参照）を表示する。また、Ｓ３５で当該クレジットカードの認証がエラーになったときは、Ｓ３６に進み、カード搬送用ローラ９２，９３を逆回転駆動して当該プリペイドカードをカード挿入口９０へ排出する。
【００９１】
続いて、図１３に示されるように、Ｓ３７では、確認釦（満タン）１１０ｆが押圧操作されたかどうかをチェックする。Ｓ３７において、確認釦（満タン）１１０ｆが押圧操作されないときは、満タン給液モードが選択されずに、プリセット給液モードが選択されたものと判断してＳ３８に進み、設定確認画面１１０の量指定釦１１０ｄが押圧操作されたかどうかをチェックする。
【００９２】
Ｓ３８において、設定確認画面１１０の量指定釦１１０ｄが押圧操作されないときは、Ｓ３９に進み、設定確認画面１１０の金額指定釦１１０ｅが押圧操作されたかどうかをチェックする。Ｓ３９において、設定確認画面１１０の金額指定釦１１０ｅが押圧操作されないときは、Ｓ３７に戻り、Ｓ３７〜Ｓ３９の処理を繰り返す。
【００９３】
上記Ｓ３７において、確認釦（満タン）１１０ｆが押圧操作されたときは、満タン給液モードが選択されたものと判断してＳ４０に進み、設定完了画面１１２（図９参照）をタッチパネル４９に表示して給液操作の開始を指示する。
【００９４】
また、上記Ｓ３８において、設定確認画面１１０の量指定釦１１０ｄが押圧操作されたときは、Ｓ４１に進み、量指定選択画面（図示せず）をタッチパネル４９の画面に表示する。
【００９５】
次のＳ４２では、給液量を入力され、確認釦１１０ｆが押圧操作されたかどうかをチェックする。Ｓ４２において、確認釦１１０ｆが押圧操作されたときは、Ｓ４３に進み、設定確認画面１１０をタッチパネル４９の画面に表示して設定内容の確認を行う。
【００９６】
Ｓ４４では、給液量などの設定内容を確認するため確認釦１１０ｆが押圧操作されたかどうかをチェックする。Ｓ４４において確認釦１１０ｆが押圧操作されると、Ｓ４６に進み、Ｓ４６以降の処理を実行する。
【００９７】
また、上記Ｓ３９において、設定確認画面１１０の金額指定釦１１０ｅが押圧操作された場合には、Ｓ４５に進み、金額指定選択画面（図示せず）をタッチパネル４９の画面に表示する。この後は、上記量指定の場合と同様にＳ４２以降の処理を実行する。
【００９８】
このように、Ｓ３７において、満タン給液モードが選択された場合、あるいはＳ３８で給液量を設定したプリセット給液モードが選択された場合、あるいはＳ３９で給液額を設定したプリセット給液モードが選択された場合には、Ｓ４６に進む。
【００９９】
次のＳ４６では、ノズル掛け６２に設けられたノズルスイッチ７４がオフかどうかをチェックする。Ｓ４６において、ノズルスイッチ７４がオフになると、ノズル掛け６２から給液ノズル６０が外されて車両（図示せず）の給液口に挿入され、満タン給液が開始されたものと判断する。
【０１００】
続いて、Ｓ４７では、タッチパネル４９の画面に給液中画面１１４（図１０参照）を表示して給液中の給液情報（給液量、税込み金額、単価など）を報知する。
【０１０１】
次のＳ４８では、プリセット給液モードの場合、流量計７２により計測された給液量または給液金額が予め設定されたプリセット値に達したかどうかをチェックする。Ｓ４８において、給液量または給液金額が予め設定されたプリセット値に達しないときは、Ｓ４９に進み、ノズル掛け６２に設けられたノズルスイッチ７４がオンかどうかをチェックする。
【０１０２】
Ｓ４９において、ノズルスイッチ７４がオンになると、満タン給液モードが終了したものと判断し、Ｓ５０に進む。
【０１０３】
上記Ｓ４８において、給液量または給液金額が予め設定されたプリセット値に達したときは、プリセット給液モードが終了したものと判断し、あるいは上記Ｓ４９において、ノズルスイッチ７４がオンであるときは、満タン給液モードが終了したものと判断してＳ５０に進み、給液ポンプ７０を停止させる。
【０１０４】
その後、Ｓ５１でタッチパネル４９の画面に給液終了画面１１６（図１１参照）を表示する。これで、給液処理が終了する。そして、Ｓ５２において、所定時間が経過すると、Ｓ５３でタッチパネル４９の画面表示をオフ（表示無し）にする。
【０１０５】
このように、支払い方法としてカードが選択された場合には、カード挿入部５４に挿入されたカードから読み取ったカード情報を報知して確認するため、各カード毎の確認釦を設ける必要がなく、その分操作手順が簡略化され、給液開始までの待ち時間を短縮することが可能になる。
【産業上の利用可能性】
【０１０６】
尚、上記実施例では、給液所で給液料金を精算する場合について説明したが、これ以外の業種、例えば、一般の商店などでもカード支払いを行う場合に本発明を適用できるのは勿論である。
【０１０７】
上記実施例では、セルフサービス方式の燃料供給装置を一例として挙げたが、これに限らず、給液所の係員が給液操作を行う場合にも適用できるのは勿論である。
【０１０８】
また、上記実施例では、ガソリンや軽油等の油液を車両の燃料タンクに給液する場合を一例として挙げたが、これに限らず、油液以外の燃料（例えば、燃料電池車で消費される水素、あるいはＬＰＧ車やＣＮＧ車などで燃料として消費されるガス等）を供給する燃料供給装置にも適用できるのは勿論である。
【図面の簡単な説明】
【０１０９】
【図１】本発明になる精算システムの一実施例が適用された給液システムの構成図である。
【図２】燃料供給装置１６の正面図である。
【図３】燃料供給装置１６の各機器の構成を示すブロック図である。
【図４】カード挿入部５４の概略構成を示す図である。
【図５】支払い方法入力画面１０４の表示例を示す図である。
【図６】カード種別表示画面１０６の表示例を示す図である。
【図７】液種選択画面１０８の表示例を示す図である。
【図８】設定確認画面１１０の表示例を示す図である。
【図９】設定完了スタート画面１１２の表示例を示す図である。
【図１０】給液中画面１１４の表示例を示す図である。
【図１１】給液終了画面１１６の表示例を示す図である。
【図１２】制御回路６６が実行する制御処理を説明するためのフローチャートである。
【図１３】図１２の処理に続いて制御回路６６が実行する制御処理を説明するためのフローチャートである。
【符号の説明】
【０１１０】
１０  給液システム
１６（１６１〜１６ｎ）  燃料供給装置
２０  ＰＯＳ本体
２４  計量機
２６  設定器
２８  自動支払機
３０  通信回線
３８  操作部
４９  タッチパネル
５０  人検知センサ
５２  紙幣挿入部
５４  カード挿入部
６２  ノズル掛け
６０  給液ノズル
６６  制御回路
７８  カードＲ／Ｗ
８０  メモリ
８３  スピーカ
８４  カード駆動モータ
９２，９３  カード搬送用ローラ
９６  磁気ヘッド
９８  ＩＣヘッド
１０４  支払い方法入力画面
１０６  カード種別表示画面
１０８  液種選択画面
１１０  設定確認画面
１１２  設定完了スタート画面
１１４  給液中画面
１１６  給液終了画面
【図１】
2005107570.tif 000003
【図２】
2005107570.tif 000004
【図３】
2005107570.tif 000005
【図４】
2005107570.tif 000006
【図５】
2005107570.tif 000007
【図６】
2005107570.tif 000008
【図７】
2005107570.tif 000009
【図８】
2005107570.tif 000010
【図９】
2005107570.tif 000011
【図１０】
2005107570.tif 000012
【図１１】
2005107570.tif 000013
【図１２】
2005107570.tif 000014
【図１３】
2005107570.tif 000015